(57)【要約】【課題】  通信網に接続されたユーザ間に相手の姿を見ながらコンテンツを利用できる画像提供サービスシステム及び方法を提供する。【解決手段】  本発明は、画像関連コンテンツを利用しようとするユーザに関する個人情報、識別情報、画像関連情報をデータベースに格納し管理するためのユーザ管理手段と、ユーザのビデオデータをデータベースに格納し、ユーザの制御によって前記ビデオデータを編集するためのビデオデータ処理手段と、ユーザに多様なイメージを提供し、ユーザが選択したイメージデータを編集するためのイメージデータ処理手段と、ビデオデータとイメージデータとを合成するためのデータ合成手段とを備える。これにより、ビデオデータにユーザ趣向に合うイメージデータを結合して合成された画像データを提供することによって、ユーザ各々の個性ある姿を表出させることができる。【選択図】  図２
2005175765.tif 000002
【特許請求の範囲】
【請求項１】
インターネット上でサービスを提供するコンテンツ提供システムと連携して、画像関連コンテンツを利用するユーザに画像データを提供するためのシステムであって、
前記コンテンツ提供システムに接続してコンテンツを利用するユーザの中に画像関連コンテンツを利用しようとするユーザに関する個人情報、識別情報、画像関連情報をデータベースに格納し管理するためのユーザ管理手段と、
デジタルカメラが付着されたパソコンを介して入力されたユーザのビデオデータをデータベースに格納し、ユーザの制御によって前記ビデオデータを編集するためのビデオデータ処理手段と、
前記ユーザに多様なイメージを提供し、前記ユーザが所望のイメージを選択するに従って前記ユーザが選択したイメージデータをデータベースに格納し、前記ユーザの要求に応じて選択されたイメージを編集するためのイメージデータ処理手段と、
前記ビデオデータとイメージデータとを合成するためのデータ合成手段とを備えることを特徴とする画像提供サービスシステム。
【請求項２】
前記画像関連コンテンツは、画像チャット、画像電子商取引、画像ミーティング、画像デートで用いられるコンテンツを含むことを特徴とする請求項１に記載の画像提供サービスシステム。
【請求項３】
前記ビデオデータ処理手段は、前記ビデオデータをユーザの制御によって削除、表面処理することを特徴とする請求項１に記載の画像提供サービスシステム。
【請求項４】
前記イメージデータ処理手段は、前記選択されたイメージデータに対してサイズ調節、組合、色相変更を行うことを特徴とする請求項１に記載の画像提供サービスシステム。
【請求項５】
前記データ合成手段は、前記ビデオデータとイメージデータとを重畳させることを特徴とする請求項１に記載の画像提供サービスシステム。
【請求項６】
インターネット上でサービスを提供するコンテンツ提供システムと連携して、画像関連コンテンツを利用するユーザに画像データを提供するための提供サービス方法であって、
（ａ）前記コンテンツ提供システムに接続したユーザが画像関連コンテンツの中にいずれか１つを利用しようとするに従って、前記ユーザのパソコンからビデオデータが入力されるか否かを確認する段階と、
（ｂ）前記ユーザのビデオデータが入力されている場合、イメージデータを選択するか否かを確認する段階と、
（ｃ）前記ユーザがイメージデータを使用するために、所望のイメージを選択する場合、前記ビデオデータとイメージデータとを合成するか否かを確認する段階と、
（ｄ）前記イメージデータを選択したユーザがデータを合成せず、イメージデータだけを使用しようとすれば、前記ユーザが選択したイメージデータを前記コンテンツ提供システムに伝送する段階と、
（ｅ）前記ユーザがビデオデータとイメージデータとを合成しようとすれば、前記ユーザのビデオデータ及びユーザが選択したイメージデータを合成し、前記合成したデータを前記コンテンツ提供システムに伝送する段階とを備えることを特徴とする画像提供サービス方法。
【請求項７】
前記画像関連コンテンツは、画像チャット、画像電子商取引、画像ミーティング、画像デートで用いられるコンテンツを含むことを特徴とする請求項６に記載の画像提供サービス方法。
【請求項８】
前記（ｅ）段階でビデオデータとイメージデータとを合成する過程は、
前記ユーザにビデオデータの所望の部分を選択するようにするビデオデータ編集過程と、
前記ユーザが選択したイメージデータを、編集されたビデオデータに重畳させる結合過程とを備えることを特徴とする請求項６に記載の画像提供サービス方法。
【請求項９】
前記（ａ）段階の後、前記ユーザのビデオデータが入力されない場合、前記ユーザにイメージエディターを選択するか否かを確認する段階と、
前記ユーザがイメージデータを選択すれば、選択したイメージデータをコンテンツ提供システムに伝送する段階と、
前記ユーザがイメージデータを選択しない場合、該当ユーザが画像データを使用しないことを前記コンテンツ提供システムに知らせる段階とをさらに備えることを特徴とする請求項６に記載の画像提供サービス方法。
【請求項１０】
前記（ｂ）段階の後、前記ユーザがイメージデータを選択しなければ、前記コンテンツ提供システムに前記ユーザがビデオデータだけを使用することを知らせる段階をさらに備えることを特徴とする請求項６に記載の画像提供サービス方法。
【請求項１１】
前記ユーザがビデオデータだけを使用しようとする場合、前記ユーザの要求に応じて前記ビデオデータを編集する段階をさらに備えることを特徴とする請求項１０に記載の画像提供サービス方法。
【発明の詳細な説明】
【技術分野】
【０００１】
本発明は、デジタルカメラを用いて画像を提供するシステムに関し、より詳細には、通信網に接続されたユーザ間に相手の姿を見ながらコンテンツを利用できる画像提供サービスシステム及び方法に関する。
【背景技術】
【０００２】
パソコンの普及及びインターネットの活性化に伴い、インターネットを用いてユーザに多様なコンテンツを提供する産業が発展して来ている。インターネットを介して提供される多様なコンテンツのうち、特にチャットサービスは、電話線を用いたパソコン通信世代から現在まで代表的なコンテンツサービスとして注目されている。
【０００３】
チャットとは、通信網に接続した多数のユーザがメッセージやりとりするサービスを言う。近年、通信網の高速化、パソコンの大容量化に伴い、デジタルカメラのような映像装備をパソコンに付着し、自分とチャットしている相手の姿を見ながらメッセージをやりとりすることができる画像チャットサービスが普遍化されていることが現状である。画像チャットサービスは、単にメッセージだけをやりとりする過去のチャットサービスとは異なり、会話中の相手の顔表情などを観察できるので、チャットの興味を一層高める効果がある。
【０００４】
ところが、このような画像チャットは、デジタルカメラをユーザの前面に配置した状態で行われるため、他人に公開したくない自分の背景空間が露出するようになる問題点がある。また、１つのチャットルームに多数のユーザが接続して画像チャットサービスを利用する場合、表出されるユーザの画像で特徴を発見しがたいため、多数のユーザ各々を一目で識別することが難しいという短所がある。
【０００５】
このような短所を補完するために、映像装備を白黒モードで設定するなどにして映像装備のオプションをハードウェア的に制御してビデオデータの色感を変化させる方法がある。しかし、このような方法は、ただ全体的な色が変化することに限定され、ユーザ各々の個性を表現できず、映像装備の機種によって画質が変形して出力される問題点があり、大部分のユーザは、映像装備に入力されるビデオデータを変形することなくそのまま使用することが一般的である。
【０００６】
近年、画像チャットばかりでなく、電子商取引、インターネットミーティング、インターネットデートサービスなどでも映像装備を用いて参加者がお互いの顔を見ながらコンテンツを利用できるサービスが少なからず開発及び提供されている。このようなサービスでも、入力された映像情報が相手のコンピュータにそのままディスプレイされることになり、これにより、個々人の個性を表出できないため、多数のユーザの映像が類似な形態で表示されるようになるという短所がある。
【発明の開示】
【発明が解決しようとする課題】
【０００７】
本発明は、上述の問題点を解決するためになされたもので、その目的は、映像装備に入力されたユーザ情報にイメージ情報を合成することによって、ユーザの映像を個性的に表出できる画像提供サービスシステム及び方法を提供することにある。
また、本発明の他の目的は、コンピュータ上で表出されるユーザの映像情報を、映像装備をハードウェア的に変更することなく、合成することによって、映像情報の変形時、映像情報の画質及び色感が低下するのを防止できる画像提供サービスシステム及び方法を提供することにある。
【課題を解決するための手段】
【０００８】
前記目的を達成するために、本発明に係る画像提供サービスシステムは、インターネット上でサービスを提供するコンテンツ提供システムと連携して、画像関連コンテンツを利用するユーザに画像データを提供するためのシステムであって、前記コンテンツ提供システムに接続してコンテンツを利用するユーザの中に画像関連コンテンツを利用しようとするユーザに関する個人情報、識別情報、画像関連情報をデータベースに格納し管理するためのユーザ管理手段と、デジタルカメラが付着されたパソコンを介して入力されたユーザのビデオデータをデータベースに格納し、ユーザの制御によって前記ビデオデータを編集するためのビデオデータ処理手段と、前記ユーザに多様なイメージを提供し、前記ユーザ所望のイメージを選択するに従って、前記ユーザが選択したイメージデータをデータベースに格納し、前記ユーザの要求に応じて選択されたイメージを編集するためのイメージデータ処理手段と、前記ビデオデータとイメージデータとを合成するためのデータ合成手段とを備えることを特徴とする。
【０００９】
ここで、画像関連コンテンツは、画像チャット、画像電子商取引、画像ミーティング、画像デートで用いられるコンテンツを含む。また、ビデオデータ処理手段は、前記ビデオデータをユーザの制御によって削除、表面処理する機能を有し、イメージデータ処理手段は、前記選択されたイメージデータに対してサイズ調節、組合、色相変更を行う機能を有す。
【００１０】
また、本発明に係る画像提供サービス方法は、インターネット上でサービスを提供するコンテンツ提供システムと連携して、画像関連コンテンツを利用するユーザに画像データを提供するための提供サービス方法であって、（ａ）前記コンテンツ提供システムに接続したユーザが画像関連コンテンツの中にいずれか１つを利用しようとするに従って、前記ユーザのパソコンからビデオデータが入力されるか否かを確認する段階と、（ｂ）前記ユーザのビデオデータが入力されている場合、イメージデータを選択するか否かを確認する段階と、（ｃ）前記ユーザがイメージデータを使用するために所望のイメージを選択する場合、前記ビデオデータとイメージデータとを合成することか否かを確認する段階と、（ｄ）前記イメージデータを選択したユーザがデータを合成せず、イメージデータだけを使用しようとすれば、前記ユーザが選択したイメージデータを前記コンテンツ提供システムに伝送する段階と、（ｅ）前記ユーザがビデオデータとイメージデータとを合成しようとすれば、前記ユーザのビデオデータ及びユーザが選択したイメージデータを合成し、前記合成したデータを前記コンテンツ提供システムに伝送する段階とを備えることを特徴とする。
【発明の効果】
【００１１】
本発明によれば、画像関連コンテンツを利用するユーザに、映像装備を介して入力されるビデオデータにユーザ趣向に合うイメージデータを結合して合成された画像データを提供することによって、ユーザ各々の個性ある姿を表出させることができる。
また、サービスの主題や雰囲気に応じて自分の姿を流動的に変化させることができので、一層興味深い雰囲気でサービスを利用できる。
【発明を実施するための最良の形態】
【００１２】
以下、添付の図面を参照して本発明の好適な実施形態を詳細に説明する。
以下の説明で、ビデオデータとは、映像装備を介して入力されるユーザの実際の姿に対応するデータを意味し、イメージデータとは、ビデオデータと結合され得る背景画面などのグラフィックデータを意味し、合成データとは、ビデオデータとイメージデータとを結合したデータを意味する。
【００１３】
図１は、本発明に係る画像提供サービスシステムが適用される通信網の一例を示す図である。
図示のように、パソコン１０−１〜１０−ｎには、デジタルカメラ１１０−１〜１１０−ｎのような映像装備が付着されることができ、ユーザは、インターネット３０を介してコンテンツ提供システム２０に接続してコンテンツ提供者が提供する多様なサービスを利用できる。コンテンツ提供システム２０においてユーザに提供するサービスには、画像チャット、画像電子商取引、画像ミーティング、画像データなどのように参加者がお互いの顔を見ながらコンテンツを利用できるサービスをはじめとしてインターネットを介して提供できる全ての可能なサービスを含む。
【００１４】
画像提供サービスシステム４０は、コンテンツ提供システム２０と連携して、コンテンツ提供システム２０に接続して画像関連コンテンツを利用しようとするユーザの要求に応じて所望の画像データを生成し提供するシステムであって、画像提供サービスシステム４０は、コンテンツ提供システム２０運営者が運営したりコンテンツ提供システム２０と独立的な運営者が運営できる。
【００１５】
ユーザは、デジタルカメラ１１０−１〜１１０−ｎが付着されたパソコン１０−１〜１０−ｎを用いてインターネット３０を介してコンテンツ提供システム２０に接続する。コンテンツ提供システム２０に接続したユーザは、チャット、電子商取引、ミーティング、デートサービスなどの多様なサービスの中に所望のサービスを選択し、この際、映像装備を介して相手に見られる自分の姿をどのように加工するかを選択する。仮にユーザがデジタルカメラ１１０−１〜１１０−ｎに入力されたビデオデータをそのまま表出しようとするならば、画像提供サービスシステム４０は、入力されたビデオデータに付加的な加工処理を行うことなく、コンテンツ提供システム２０に伝送する。一方、ユーザがデジタルカメラ１１０−１〜１１０−ｎに入力されたビデオデータに別途のイメージを合成して表出しようとするならば、画像提供サービスシステム４０は、ユーザに多様なイメージ情報を提供し、ユーザが選択したイメージデータとビデオデータとを合成してコンテンツ提供システム２０に伝送する。この場合、別途のイメージは、画像提供サービスシステム４０で提供することもできるが、ユーザのパソコン１０−１〜１０−ｎや別途の格納手段に格納されているイメージの中から選択することも可能である。
【００１６】
ビデオデータとイメージデータとの合成は、画像提供サービスシステム４０に接続したユーザがデータ合成と関連した応用プログラムを自分のパソコン１０−１〜１０−ｎにダウンロードするようにした後、パソコン１０−１〜１０−ｎで合成過程が進行されるようにすることができる。この場合には、画像提供サービスシステム４０に加えられる負荷を低減することができ、データ処理速度を向上させることができるという長所がある。
このような方法により、ビデオデータとイメージデータとを合成して合成データを表出する場合、ビデオデータをそのまま使用するユーザに比べてその姿が目立つように表出されることができるという利点がある。
【００１７】
図２は、図１に示す画像提供サービスシステムの詳細構成図である。
本発明の画像提供サービスシステム４０は、図２に示すように、ユーザ管理手段４０２と、ビデオデータ処理手段４０４と、イメージデータ処理手段４０６と、データ合成手段４０８と、データベース４１０とを備える。ここで、データベース４１０は、ユーザＤＢ４１２、ビデオデータＤＢ４１４、イメージデータＤＢ４１６及び合成データＤＢ４１８を含み、これらのデータベースは、１つのテーブルで構成することができ、又は、各々のテーブルで構成することができる。
【００１８】
ユーザ管理手段４０２は、コンテンツ提供システム２０に接続してコンテンツを利用するユーザの中に画像関連コンテンツを利用しようとするユーザに関する個人情報、識別情報、画像関連情報などをユーザＤＢ４１２に格納し管理する役目を行う。
【００１９】
ビデオデータ処理手段４０４は、デジタルカメラ１１０−１〜１１０−ｎを介して画像提供サービスシステム４０に入力されたユーザのビデオデータをビデオデータＤＢ４１４に格納し、ユーザの制御によってビデオデータを編集する。イメージデータ処理手段４０６は、画像提供サービスシステム４０でユーザにイメージデータＤＢ４１６に格納された多様なイメージを提供して、ユーザが所望のイメージを選択するようにし、ユーザが選択したイメージデータをユーザ別にイメージデータＤＢ４１２に格納し、ユーザの要求に応じて選択されたイメージを編集する役目をする。イメージデータＤＢ４１６に格納されるイメージデータには、背景画面、ヘアスタイル、眼鏡枠、衣装などのようにビデオデータと重畳できるイメージと、ビデオデータ無しにイメージデータだけでユーザを表示できるように多様な姿を有するアバターとが含まれる。
【００２０】
ここで、ビデオデータの編集は、ユーザが所望の部分だけを選択し、残りは削除する過程、表面処理する過程などにより行われることができる。また、イメージデータの編集は、画像提供サービスシステム４０で提供するイメージを自分の顔サイズなどに合うように調節する過程、部分的に提供されるイメージデータを選択して組合する過程、色相を選択する過程などにより行われることができる。
【００２１】
データ合成手段４０８は、ビデオデータとイメージデータとを合成する役目をする。すなわち、コンテンツを利用するユーザが相手のコンピュータ画面に自分のビデオデータとイメージデータとを合成して表出しようとするに従って、ユーザのパソコン１０−１〜１０−ｎに付着されたデジタルカメラ１１０−１〜１１０−ｎを介して入力され、ビデオデータ処理手段４０４で編集されて格納されたビデオデータと、ユーザにより選択され、イメージデータ処理手段４０８で編集されて格納されたデータとを結合し、結合したデータを合成データＤＢ４１８に格納する。ここで、ビデオデータとイメージデータとの結合は、映像情報の単純な重畳だけでも可能である。
【００２２】
本発明の他の実施形態によれば、ビデオデータとイメージデータとの合成は、画像提供サービスシステム４０に接続したユーザがデータ合成と関連した応用プログラムを自分のパソコン１０−１〜１０−ｎにダウンロードするようにした後、パソコン１０−１〜１０−ｎで合成過程が行われるようにすることができる。この場合には、画像提供サービスシステム４０に加えられる負荷を低減することができ、データ処理速度を向上させることができるという長所がある。
【００２３】
図示してはいなかいが、画像提供サービスシステム４０は、通信網インタフェースをさらに備え、処理完了したビデオデータ、イメージデータ及びデータ合成データをコンテンツ提供システム２０に伝送する。また、ユーザのビデオデータは、コンテンツ提供システム２０を介して画像提供サービスシステム４０に伝送される。
【００２４】
図３は、本発明に係る画像提供サービス方法を説明する流れ図である。
ユーザにコンテンツ提供システム２０で提供する画像関連コンテンツを提供するために、コンテンツ提供システム２０は、画像提供サービスシステム４０と連携しなければならなく、ユーザがコンテンツ提供システム２０に接続して画像関連コンテンツを利用しようとすれば、画像提供サービスシステム４０は、直ちに活性化され、ユーザの要求に対応する画像情報を提供しなければならない。画像提供サービスは、コンテンツが提供される時に同時に利用することも可能であるが、コンテンツを利用する途中に、自分の姿を変化させるために利用することも可能である。以下では、ユーザに画像を提供する過程を具体的に説明する。
【００２５】
コンテンツ提供システム２０に接続したユーザが画像チャット、画像電子商取引、画像ミーティング、画像デートなどのように参加者がお互いの顔を見ながら利用できる画像関連コンテンツの中にいずれか１つを利用しようとするに従って、コンテンツ提供システム２０は、該当するコンテンツを提供する（Ｓ１０１）。この際、ユーザに提供されるコンテンツが画像関連コンテンツであるから、画像提供サービスシステム４０は、直ちに活性化され、ユーザのビデオデータが入力されているか否かを確認し（Ｓ１０２）、ビデオデータが入力されている場合には、別途のイメージデータを選択して使用するか、又は、ビデオデータだけを使用するかを確認する（Ｓ１０３）。
【００２６】
ユーザが別途のイメージエディターを選択しなければ、画像提供サービスシステム４０は、該当事実をコンテンツ提供システムに知らせて、ユーザのビデオデータが該当コンテンツを共に利用している相手のコンピュータモニターにそのままディスプレイされるようにする（Ｓ１０４）。一方、ユーザが別途のイメージデータを使用するために所望のイメージを選択すれば、画像提供サービスシステムは、ビデオデータとイメージデータとを合成するか、又は、イメージデータだけを使用するかを確認する（Ｓ１０５）。
【００２７】
データ合成可否を確認する段階（Ｓ１０５）で、イメージデータを選択したユーザがデータを合成せずにイメージデータだけを使用しようとすれば、ユーザが選択したイメージデータをコンテンツ提供システム２０に伝送し（Ｓ１０６）、該当イメージデータが該当コンテンツを共に利用している相手のコンピュータモニターにディスプレイされるようにする。一方、ユーザがデータを合成しようとすれば、画像提供サービスシステム４０のデータ合成手段４０８は、ユーザのビデオデータとユーザが選択したイメージデータとを合成し（Ｓ１０７）、合成データＤＢ４１８に格納し、かつ、コンテンツ提供システム２０に伝送する（Ｓ１０８）。ここで、ビデオデータと合成されるイメージデータは、画像提供サービスシステム４０で提供したり、ユーザのパソコン１０−１〜１０−ｎまたはパソコン１０−１〜１０−ｎで読み取り可能な別途の格納手段に格納されているイメージの中から選択することが可能である。
【００２８】
ビデオデータとイメージデータとを合成する段階（Ｓ１０７）では、ユーザにビデオデータの所望の部分を選択するようにしてビデオデータを編集し、ユーザが選択したイメージデータを編集されたビデオデータに重畳させることによって、合成データを生成できる。また、ビデオデータとイメージデータとの合成は、画像提供サービスシステム４０で実行したり、データ合成と関連した応用プログラムをユーザのパソコン１０−１〜１０−ｎにダウンロードするようにした後、パソコン１０−１〜１０−ｎで合成過程が行われるようにすることができる。
【００２９】
なお、コンテンツを利用しようとするユーザのビデオデータが入力されているか否かを確認する段階（Ｓ１０２）で、ユーザのビデオデータが入力されない場合には、ユーザにイメージデータを選択するか否かを確認する（Ｓ１０９）。ユーザがイメージデータを選択すれば、選択したイメージデータをコンテンツ提供システム２０に伝送し（Ｓ１０６）、イメージデータを選択しない場合には、該当ユーザが画像データを使用しないことをコンテンツ提供システム２０に知らせる。
【００３０】
本発明の他の実施形態によれば、ビデオ処理手段４０４は、ビデオデータだけを使用しようとするユーザの要求に応じて該当ビデオデータを編集でき、イメージ処理手段４０６は、イメージデータだけを使用しようとするユーザの要求に応じて該当イメージを編集できる。ビデオデータの編集は、特定部分の削除、表面処理などにより行われることができ、イメージデータの編集は、サイズ調節、イメージ組合、色相選択などにより行われることができる。
【００３１】
図４は、本発明に係る画像提供サービス方法を説明するブロック図であり、画像関連コンテンツの中にチャットサービスを利用する場合を示す。
画像チャットサービスの場合、チャットルームに参加しているユーザ（レインマン、ブルー、風、その他のユーザ１〜４）の画像情報がディスプレイされる参加者表示窓１０２、１０４、１０６がモニタ１００の上段に出現し、下段にはチャット窓１０８が出現する。チャットルームに参加している各々のユーザは、ビデオデータだけを使用したり、イメージデータだけを使用したり、ビデオデータとイメージデータとの合成データを使用することができ、場合によっては画像データを使用しないこともできる。
【００３２】
画像チャットサービスのチャットルームに参加した多数のユーザがビデオデータだけを用いて本人を表示する場合には、各参加者の表示窓に表示されたユーザを一目で区分できる特徴がないため、チャットが無味乾燥に進行されるが、ビデオデータとイメージデータを自分の趣向に合うように編集し合成した場合には、他の参加者と差別された姿をディスプレイできる利点がある。また、チャットルームの主題や雰囲気に応じて自分の姿を変化させることができるため、一層興味深い雰囲気でサービスを利用できる。
【００３３】
以上で説明した画像提供サービスシステムは、インターネット上でのオンラインコンテンツを利用しながら使用することも可能であり、ＣＤ、ＲＯＭ−バイアスなどに格納された形態で製作しておいて、ユーザ固有のキャラクターを生成するに用いることができる。この場合、ビデオデータ及びイメージデータの提供及び処理、データ合成過程が全てパソコン１０−１〜１０−ｎで行われる。
【００３４】
本発明は、本発明の技術的思想から逸脱することなく、他の種々の形態で実施することができる。前述の実施形態は、あくまでも、本発明の技術内容を明らかにするものであって、そのような具体例のみに限定して狭義に解釈されるべきものではなく、本発明の精神と特許請求の範囲内で、いろいろと変更して実施することができるものである  
【図面の簡単な説明】
【００３５】
【図１】本発明に係る画像提供サービスシステムが適用される通信網の一例を示す図である。
【図２】図１に示す画像提供サービスシステムの詳細構成図である。
【図３】本発明に係る画像提供サービス方法を説明する流れ図である。
【図４】本発明に係る画像提供サービス方法を説明するブロック図である。
【符号の説明】
【００３６】
１０−１〜１０−ｎ  パソコン
２０  コンテンツ提供システム
３０  インターネット
４０  画像提供サービスシステム
１１０−１〜１１０−ｎ  デジタルカメラ
４０２  ユーザ管理手段
４０４  ビデオデータ処理手段
４０６  イメージデータ処理手段
４０８  データ合成手段
４１０  データベース
４１２  ユーザデータベース
４１４  ビデオデータデータベース
４１６  イメージデータデータベース
４１８  合成データデータベース
１００  モニター
１０２、１０４、１０６  参加者表示窓
１０８  チャット窓
【図１】
2005175765.tif 000003
【図２】
2005175765.tif 000004
【図３】
2005175765.tif 000005
【図４】
2005175765.tif 000006